(57)【要約】【課題】色班の発生を防止することができるフラットスクリーン捺染装置を提供する。【解決手段】スクリーンを介して被捺染物に染料を塗布するフラットスクリーン捺染装置であって、スクリーン上の染料を被捺染物側に押し込むスキージと、スクリーン上の染料を覆うようスキージの幅方向に亘って設けられ、スクリーンに対向する面が凹状の案内面である案内部材と、を備え、案内面は、スクリーンとの間でスキージの移動方向に染料が回転するよう、スキージの移動に伴いスキージに沿って上昇する染料をスクリーン側へと案内する、フラットスクリーン捺染装置。【選択図】図３
2013014095.tif 000002
【特許請求の範囲】
【請求項１】
スクリーンを介して被捺染物に染料を塗布するフラットスクリーン捺染装置であって、
前記スクリーン上の染料を前記被捺染物側に押し込むスキージと、
前記スクリーン上の染料を覆うよう前記スキージの幅方向に亘って設けられ、前記スクリーンに対向する面が凹状の案内面である案内部材と、
を備え、
前記案内面は、前記スクリーンとの間で前記スキージの移動方向に染料が回転するよう、前記スキージの移動に伴い前記スキージに沿って上昇する染料を前記スクリーン側へと案内する、フラットスクリーン捺染装置。
【請求項２】
前記案内面は、前記スキージの移動方向に沿った鉛直断面が円弧状となるよう形成されている、請求項１に記載のフラットスクリーン捺染装置。
【請求項３】
前記案内部材は、取付部を介して前記スキージに取り外し可能に取り付けられる、請求項１又は２に記載のフラットスクリーン捺染装置。
【発明の詳細な説明】
【技術分野】
【０００１】
本発明は、フラットスクリーン捺染装置に関するものである。
【背景技術】
【０００２】
フラットスクリーン捺染装置は、一般的に、布帛を搬送するエンドレスベルトと、このエンドレスベルトの上方で往復動する２つのスキージと、を備えており、各スキージがスクリーンを介して布帛側に染料を押し込むことで布帛を捺染する構成をとっている。より詳細には、スクリーン上において２つのスキージ間に染料を投入した状態で、この２つのスキージを布帛の搬送方向と直交する方向に走行させる。このとき、走行方向前方のスキージはスクリーンから所定距離離れているが、後方のスキージはスクリーンを押圧しており、この後方のスキージによってスクリーン上の染料が布帛側に押し込まれ、エンドレスベルト上の布帛が捺染される（例えば特許文献１参照）。
【先行技術文献】
【特許文献】
【０００３】
【特許文献１】特許第２９３６４６６号公報
【発明の概要】
【発明が解決しようとする課題】
【０００４】
ところで、上述したようなフラットスクリーン捺染装置においては、図１３に示すように、スキージ７０がスクリーン３０を押圧しながら走行する際、スクリーン３０上の染料Ｄがスキージ７０に沿って上昇することがある。このスキージ７０に沿って上昇した染料Ｄは、スキージ７０前方の空気を巻き込みながら再びスクリーン３０上へと戻るため、スクリーン３０上の染料Ｄ内で気泡が発生し、この気泡を含む染料Ｄによって捺染された布帛には色班が生じてしまうという問題があった。
【０００５】
そこで、本発明は、色班の発生を防止することができるフラットスクリーン捺染装置を提供することを課題とする。
【課題を解決するための手段】
【０００６】
本発明は、上記課題を解決するためになされたものであり、スクリーンを介して被捺染物に染料を塗布するフラットスクリーン捺染装置であって、前記スクリーン上の染料を前記被捺染物側に押し込むスキージと、前記スクリーン上の染料を覆うよう前記スキージの幅方向に亘って設けられ、前記スクリーンに対向する面が凹状の案内面である案内部材と、を備え、前記案内面は、前記スクリーンとの間で前記スキージの移動方向に染料が回転するよう、前記スキージの移動に伴い前記スキージに沿って上昇する染料を前記スクリーン側へと案内する。
【０００７】
上記フラットスクリーン捺染装置は、スキージの移動に伴い染料がスキージに沿って上昇した場合でも、案内部材における凹状の案内面が上昇した染料をスクリーン側へと戻し、案内面とスクリーンとの間でスキージの移動方向に染料を回転させる。これにより、染料内への空気の混入が抑制されるため、染料内で気泡が発生せず、被捺染物に色斑が生じるのを抑制することができる。また、案内面とスクリーンとの間で染料が回転しスクリーンに接触する染料が常時入れ替わるため、被捺染物の染色濃度を一定に保つことができ、均染性を向上させることができる。
【０００８】
また、上記フラットスクリーン捺染装置においては、スキージの移動方向に沿った鉛直断面が円弧状となるよう、案内面を形成することができる。
【０００９】
また、上記フラットスクリーン捺染装置において、案内部材は、取付部を介してスキージに取り外し可能に取り付けられていてもよい。なお、本発明における「取付部」とは、例えば、クリップ、ねじ、又は磁石等、案内部材をスキージに取り外し容易に取り付けることができる種々の手段のことを意味している。
【発明の効果】
【００１０】
本発明によれば、色班の発生を防止することができる。
【図面の簡単な説明】
【００１１】
【図１】本発明の第１及び第２実施形態に係るフラットスクリーン捺染装置の平面図である。
【図２】第１実施形態に係るスキージ及び案内部材の斜視図である。
【図３】第１実施形態に係るフラットスクリーン捺染装置の側面断面図である。
【図４】第２実施形態に係るフラットスクリーン捺染装置の側面断面図である。
【図５】第２実施形態に係るフラットスクリーン捺染装置の側面断面図である。
【図６】第１及び第２実施形態の変形例に係るスキージ及び案内部材の斜視図である。
【図７】第１及び第２実施形態の変形例に係るフラットスクリーン捺染装置の側面断面図である。
【図８】第１及び第２実施形態の変形例に係るスキージ及び案内部材の斜視図である。
【図９】第１及び第２実施形態の変形例に係るスキージ及び案内部材の斜視図である。
【図１０】第１及び第２実施形態の変形例に係るスキージ及び案内部材の斜視図である。
【図１１】第１及び第２実施形態の変形例に係るスキージ及び案内部材の斜視図である。
【図１２】第１及び第２実施形態の変形例に係るフラットスクリーン捺染装置の側面断面図である。
【図１３】従来のフラットスクリーン捺染装置の側面断面図である。
【発明を実施するための形態】
【００１２】
（第１実施形態）
以下、本発明に係るフラットスクリーン捺染装置の第１実施形態について図１〜図３を参照しつつ説明する。
【００１３】
第１実施形態に係るフラットスクリーン捺染装置１は、図１に示すように、布帛（被捺染物）Ｃを搬送するためのエンドレスベルト２と、スクリーン３と、捺染ユニット４と、を備えている。
【００１４】
エンドレスベルト２は、フラットスクリーン捺染装置１の両端部に設けられた駆動ローラ（図示省略）によって駆動され、図１の右から左へと布帛Ｃを間欠的に搬送するよう構成されている。このエンドレスベルト２は、布帛Cがエンドレスベルト２上を滑動しないよう、布帛Ｃを載置する載置面が粘着性を有している。
【００１５】
捺染ユニット４は、布帛Ｃの幅方向（図１の上下方向）に亘って延びる２本のガイドフレーム５と、ガイドフレーム５に支持された２つのスキージキャリア６と、２つのスキージキャリア６間に亘って延びる２つのスキージ７と、２つのスキージ７の対向面に取り付けられた案内部材８と、を主な構成としている。
【００１６】
スキージキャリア６は、スクリーン３を挟むようにスクリーン３の両側に設置され、スキージ７が取り付けられるスキージブラケット９を昇降可能に支持している。このスキージキャリア６は、ガイドフレーム５に摺動可能に支持されており、タイミングベルト１０によりガイドフレーム５に沿って移動する。タイミングベルト１０は、駆動モータ１２の出力軸に連結軸１１を介して接続されたタイミングプーリ１３によって駆動される。
【００１７】
各スキージ７は、図２に示すように、スキージホルダ７１と、このスキージホルダ７１に保持されるスキージゴム７２と、スキージゴム７２をスキージホルダ７１に押し付けて固定する押さえ板７３と、を備えている。各スキージ７は、スキージホルダ７１がスキージブラケット９に取り付けられており、このスキージブラケット９がスキージキャリア６に対して下降することにより、スキージゴム７２の下端部でスクリーン３を押圧する。
【００１８】
各案内部材８は、図１及び図２に示すように、スクリーン３上の染料を覆うことができるようスキージ７の幅方向（図１の左右方向）に延び、各スキージ７の押さえ板７３に固定されている。各案内部材８は、図２及び図３に示すように、半円筒状に形成されており、その下面がスキージ７に沿って上昇した染料をスクリーン３側へと案内するための案内面８１となっている。この案内面８１のスキージ７の移動方向（図１の上下方向）に沿った鉛直断面は、投入する染料の量等にも関係するが、例えば、半径１５ｍｍ〜２５ｍｍの円弧状であることが好ましい。また、図３に示すように、スキージ７がスクリーン３を押圧して移動する際、案内面８１の先端における接線とスクリーン３とが成す角度α１は、特に限定されるものではないが、６０度〜８０度となることが好ましい。
【００１９】
次に、上述したように構成されたフラットスクリーン捺染装置１の作動について説明する。
【００２０】
２つのスキージ７をＹ１方向に走行させる場合、図３における左側のスキージ７をスクリーン３から所定距離離れるように上昇させ、右側のスキージ７をスキージゴム７２の下端部がスクリーン３を押圧するように下降させる。この状態で２つのスキージ７間に所定量の染料を投入し、タイミングベルト１０を駆動して２つのスキージ７をＹ１方向に走行させる。このとき、右側のスキージ７はスクリーン３を押圧してスクリーン３上の染料を布帛Ｃ側へと押し込むが、スクリーン３上の染料の一部はこのスキージ７のスキージゴム７２に沿って上昇する。このスキージゴム７２に沿って上昇した染料は案内面８１によりスクリーン３側へと戻され、これにより、スクリーン３、スキージゴム７２、及び案内面８１の間で染料の回転流Ｆが発生する。なお、スキージ７の走行速度は、特に限定するものではないが、例えば、従来１．０ｍ／秒〜３．０ｍ／秒であったが本フィンの装着の効果により、従来速度は基より３．０ｍ／秒〜６．０ｍ／秒の高速度で走行させることができる。また、スクリーン３からこの回転流Ｆの上端までの高さＨ１は、特に限定されるものではないが、３０ｍｍ〜８０ｍｍとなることが好ましい。
【００２１】
２つのスキージ７をＹ２方向に走行させる場合は、図３における右側のスキージ７を上昇させるとともに左側のスキージ７を下降させ、左側のスキージ７でスクリーン３を押圧する。この場合も、左側のスキージ７のスキージゴム７２に沿って上昇した染料が案内面８１によりスクリーン３側へと戻され、スクリーン３、スキージゴム７２、及び案内面８１の間で染料の回転流が発生する。
【００２２】
以上のように、上記第１実施形態においては、スキージ７がスクリーン３上の染料を布帛Ｃ側に押し込みながら走行した際、スクリーン３、スキージゴム７２、及び案内面８１の間で染料の回転流Ｆが発生する。これにより、スクリーン３上の染料に空気が混入するのが抑制されるため、染料内で気泡が発生せず、布帛Ｃに色斑が生じるのを防止することができる。また、スクリーン３上の染料が回転することにより布帛Ｃ側に押し込まれる染料が常時入れ替わるため、布帛Ｃの染色濃度を一定に保つことができ、均染性を向上させることもできる。さらに、スキージ７の始動時にスキージ７とスクリーン３とが衝突することで跳ね上がった染料を案内部材８によってスクリーン３上に素早く戻すことができるため、跳ね上がった染料によって布帛Ｃが汚染されたり、染料が跳ね上がった状態でスキージ７がスクリーン３を通過することにより布帛Ｃの端部の色が淡くなったりするのを防止することもできる。
【００２３】
（第２実施形態）
以下、本発明に係るフラットスクリーン捺染装置の第２実施形態について図４及び図５を参照しつつ説明する。なお、第１実施形態と同様の構成については同じ符号を付して説明を省略する。
【００２４】
第２実施形態に係るフラットスクリーン捺染装置１０は、図４における左側のスキージ７がスキージゴム７２に代えてスクレーパ１４を有していることを除き、第１実施形態に係るフラットスクリーン捺染装置１と同様に構成されている。このスクレーパ１４は、スキージ７の幅方向（図１における左右方向）に沿って延びるとともにスキージホルダ７１の前面（図４における左側面）に固定されている。なお、図５に示すように、スクレーパ１４を有するスキージ７には案内部材８が取り付けられていなくてもよい。
【００２５】
このフラットスクリーン捺染装置１０において、２つのスキージ７がＹ１方向に走行する際には、第１実施形態と同様、図４における右側のスキージ７によってスクリーン３上の染料が布帛Ｃ側へと押し込まれるとともに、スクリーン３、右側のスキージ７のスキージゴム７２、及び案内部材８の案内面８１の間で染料の回転流Ｆが発生する。一方、２つのスキージ７がＹ２方向に走行する際には、右側のスキージ７が上昇し、左側のスキージ７が下降してスクレーパ１４によりスクリーン３上の染料が均される。このとき、図４に示すように、スクレーパ１４側のスキージ７に案内部材８が取り付けられている場合は、スクレーパ１４に沿って上昇した染料が案内部材８の案内面８１によりスクリーン３側に戻されるため、スクリーン３、スクレーパ１４、及び案内部材８の間で染料の回転流が発生する。
【００２６】
以上のように、第２実施形態においても、スクリーン３、スキージゴム７２又はスクレーパ１４、及び案内面８１の間で染料の回転流が発生するため、上記第１実施形態と同様に、布帛Ｃに色斑が生じるのを防止することができる。
【００２７】
以上、本発明の第１及び第２実施形態について説明したが、本発明はこれらに限定されるものではなく、本発明の趣旨を逸脱しない限りにおいて種々の変更が可能である。例えば、上記第１及び第２実施形態においては、案内部材８は、スキージ７の押さえ板７３に固定されていたが、図６及び図７に示す案内部材８０１のように押さえ板と一体的に形成することもできる。
【００２８】
また、案内部材８は、取付部を介してスキージ７に取り外し可能に取り付けることもできる。この取付部は、スキージ７から案内部材８を容易に取り外すことができるようなものであれば特には限定されず、例えば、図８に示すように、案内部材８に固定され且つスキージホルダ７１を挟持するクリップ１５１とすることができる。また、図９及び図１０に示すように、案内部材８を保持する保持金具１５２ａをスキージホルダ７１に固定された固定金具１５２ｂにネジ止めしたり、あるいは案内部材８を保持し永久磁石１５３１ａを有する保持金具１５３ａをスキージホルダ７１に固定された永久磁石付きの固定金具１５３ｂに吸着させたりすることにより、案内部材８をスキージ７に取り付けてもよい。なお、図１０に示すように、永久磁石を利用して案内部材８をスキージ７に取り付ける場合、保持金具１５３ａには、スキージ７に対する案内部材８の位置を定めるための位置決めピン１５３２ａを設けることが好ましい。
【００２９】
また、上記第１及び第２実施形態においては、案内部材８の案内面８１は、スキージ７の移動方向に沿った鉛直断面が円弧状に形成されていたが、案内面とスクリーンとの間で染料が回転するような形状であればよく、図１１及び図１２に示す案内部材８０２のように、案内面８０２１の鉛直断面を多角形状に形成することもできる。この場合も、案内面８０２１の先端における接線とスクリーン３とが成す角度α２は、６０度〜８０度となることが好ましく、スクリーン３から回転流Ｆの上端までの高さＨ２は、３０ｍｍ〜８０ｍｍとなることが好ましい。
【符号の説明】
【００３０】
１、１０             フラットスクリーン捺染装置
７                   スキージ
８、８０１、８０２   案内部材
８１、８０２１       案内面
１５１、１５２ａ、１５２ｂ、１５３ａ、１５３ｂ   取付部
３                   スクリーン
Ｃ                   布帛（被捺染物）
【図１】
2013014095.tif 000003
【図２】
2013014095.tif 000004
【図３】
2013014095.tif 000005
【図４】
2013014095.tif 000006
【図５】
2013014095.tif 000007
【図６】
2013014095.tif 000008
【図７】
2013014095.tif 000009
【図８】
2013014095.tif 000010
【図９】
2013014095.tif 000011
【図１０】
2013014095.tif 000012
【図１１】
2013014095.tif 000013
【図１２】
2013014095.tif 000014
【図１３】
2013014095.tif 000015